【手続補正書】
【提出日】平成29年4月3日(2017.4.3)
【手続補正１】
【補正対象書類名】明細書
【補正対象項目名】０１２７
【補正方法】変更
【補正の内容】
【０１２７】
ステップ２００８において、単位文字の外接矩形サイズの平均値Ｓ＿ｂｏｘを導出する。この平均値Ｓ＿ｂｏｘは、例えば、以下の式（５）で求められる。
Ｓ＿ｂｏｘ  ＝  （Ｈ／ｃｎｔ）  ×  （Ｗ／ｃｎｔ）      ・・・式（５）
【手続補正２】
【補正対象書類名】明細書
【補正対象項目名】０１２８
【補正方法】変更
【補正の内容】
【０１２８】
ステップ２００９において、代表色設定部１０４は、候補代表色と近似しているとみなせる単位文字の外接矩形の平均値Ｓ＿ｂｏｘに基づき、候補代表色を補正する。具体的には、以下の式（６）で表される補正係数αを、候補代表色Ｃ’（ｎ）の各成分Ｃ’（ｎ）＿ｂとＣ’（ｎ）＿ｒとにそれぞれ乗算することにより、候補代表色を補正する。
【手続補正３】
【補正対象書類名】明細書
【補正対象項目名】０１２９
【補正方法】変更
【補正の内容】
【０１２９】
【数２】
2015198385.tif 000001
【手続補正４】
【補正対象書類名】明細書
【補正対象項目名】０１３０
【補正方法】変更
【補正の内容】
【０１３０】
上記式（６）において、「Ｓ＿ｂｏｘ＿ｔｈ」は定数であり、Ｓ＿ｂｏｘ＿ｔｈ≧Ｓである。また、αの範囲は、０＜α≦１．０であるものとする。なお、上記補正係数αは、以下のような設計思想に基づき設定されている。
【手続補正５】
【補正対象書類名】特許請求の範囲
【補正対象項目名】全文
【補正方法】変更
【補正の内容】
【特許請求の範囲】
【請求項１】
多値画像内の文字を特定する特定手段と、
前記多値画像における前記特定された文字を構成する画素の色に基づいて、前記特定された文字に対する代表色を設定する設定手段と、
前記特定された文字が反転文字であるか判定する判定手段と、
前記特定された文字が前記反転文字であると判定された場合、前記特定された文字に対して設定された前記代表色を補正する補正手段と、
を備えることを特徴とする画像処理装置。
【請求項２】
前記補正手段は、前記特定された文字が反転文字でないと判定された場合、前記特定された文字に対して設定された前記代表色を補正しないことを特徴とする請求項１に記載の画像処理装置。
【請求項３】
前記補正手段は、前記特定された文字に関する情報に基づく補正係数を用いて、前記補正を行うことを特徴とする請求項１に記載の画像処理装置。
【請求項４】
前記特定手段は、前記多値画像内の文字領域を特定し、かつ、当該特定された文字領域内において前記文字を特定し、
前記補正係数は、前記文字領域に含まれる前記特定された文字の画素数に基づいて決定される、
ことを特徴とする請求項３に記載の画像処理装置。
【請求項５】
前記設定手段は、前記文字領域から、前記文字領域内において特定された前記文字に対する前記代表色を抽出し、
前記文字領域に含まれる前記特定された文字の画素数は、前記文字領域から抽出された前記代表色と近似しているとみなせる平均色を有する文字の総画素数であり、
当該文字の総画素数が少ないほど、前記特定された文字の可読性が高まる補正係数が用いられる、
ことを特徴とする請求項４に記載の画像処理装置。
【請求項６】
前記文字領域から抽出された前記代表色と近似しているとみなせる平均色を有する文字は、前記代表色と前記特定された文字の平均色との色空間上の距離を用いて判定されることを特徴とする請求項５に記載の画像処理装置。
【請求項７】
前記特定手段は、前記多値画像内の文字領域を特定し、かつ、当該特定された文字領域内において前記文字を特定し、
前記補正係数は、前記文字領域に含まれる前記特定された文字の数に基づいて決定される、
ことを特徴とする請求項３に記載の画像処理装置。
【請求項８】
前記設定手段は、前記文字領域から、前記文字領域内において特定された前記文字に対する前記代表色を抽出し、
前記文字領域に含まれる前記特定された文字の数は、前記文字領域から抽出された前記代表色と近似しているとみなせる平均色を有する文字の数であり、
当該文字の数が少ないほど、前記特定された文字の可読性が高まる補正係数が用いられる、
ことを特徴とする請求項７に記載の画像処理装置。
【請求項９】
前記特定手段は、前記多値画像内の文字領域を特定し、かつ、当該特定された文字領域内において前記文字を特定し、
前記補正係数は、前記文字領域に含まれる前記特定された文字の外接矩形のサイズに基づいて決定される、
ことを特徴とする請求項３に記載の画像処理装置。
【請求項１０】
前記設定手段は、前記文字領域から、前記文字領域内において特定された前記文字に対する前記代表色を抽出し、
前記文字領域に含まれる前記特定された文字の外接矩形のサイズは、前記文字領域から抽出された前記代表色に近似しているとみなせる平均色を有する文字の外接矩形のサイズであり、
当該文字の外接矩形のサイズが小さいほど、前記特定された文字の可読性が高まる補正係数が用いられる、
ことを特徴とする請求項９に記載の画像処理装置。
【請求項１１】
前記設定手段は、前記特定された文字のフォントに基づいて、前記補正の内容を決定することを特徴とする請求項１に記載の画像処理装置。
【請求項１２】
前記設定手段は、前記特定された文字のフォントがボールド体である場合は、当該特定された文字の可読性が高まる補正を行わないことを特徴とする請求項１１に記載の画像処理装置。
【請求項１３】
前記設定手段は、前記特定された文字のフォントの種類に応じた補正係数を用いて、前記補正を行うことを特徴とする請求項１１又は１２に記載の画像処理装置。
【請求項１４】
前記設定手段は、前記多値画像の解像度に基づいて、前記補正の内容を決定することを特徴とする請求項１に記載の画像処理装置。
【請求項１５】
前記設定手段は、前記多値画像の解像度が所定の閾値より高い場合は、前記特定された文字の可読性が高まる補正を行わないことを特徴とする請求項１４に記載の画像処理装置。
【請求項１６】
多値画像内の文字を特定する特定ステップと、
前記多値画像における前記特定された文字を構成する画素の色に基づいて、前記特定された文字に対する代表色を設定する設定ステップと、
前記特定された文字が反転文字であるか判定する判定ステップと、
前記特定された文字が反転文字であると判定された場合、前記特定された文字に対して設定された前記代表色を補正する補正ステップと、
を含むことを特徴とする画像処理方法。
【請求項１７】
コンピュータを、請求項１乃至１５のいずれか１項に記載の画像処理装置の各手段として機能させるためのプログラム。
【手続補正６】
【補正対象書類名】図面
【補正対象項目名】図１４
【補正方法】変更
【補正の内容】
【図１４】
2015198385.tif 000002
【手続補正７】
【補正対象書類名】図面
【補正対象項目名】図１７
【補正方法】変更
【補正の内容】
【図１７】
2015198385.tif 000003
【手続補正８】
【補正対象書類名】図面
【補正対象項目名】図１８
【補正方法】変更
【補正の内容】
【図１８】
2015198385.tif 000004
【手続補正９】
【補正対象書類名】図面
【補正対象項目名】図２０
【補正方法】変更
【補正の内容】
【図２０】
2015198385.tif 000005